(57)【特許請求の範囲】
【請求項１】
上下方向に設置され、その一側面に上端から下端に亘って凹設される縦板収容溝、及び該縦板収容溝の底面に上端から下端に亘って凹設される縦ブロック収容溝を備える細長状の縦柱と、
左右方向に設置され、一側面に左端から右端に亘って凹設される横板収容溝、及び該横板収容溝の底面に左端から右端に亘って凹設される横ブロック収容溝を備える細長状の横柱と、
前記縦板収容溝に位置する縦板、前記縦ブロック収容溝に位置する２つの縦ブロック、及び前記縦板と前記縦ブロックとを螺合する２つのボルトを備える縦部材と、前記横板収容溝に位置する横板、前記横ブロック収容溝に位置する横ブロック、及び前記横板と前記横ブロックとを螺合する２つのボルトを備える横部材とを備え、前記縦部材の前記縦板と前記横部材の前記横板とを交差状に接着して成り、前記縦柱及び前記横柱を互いに固定するための結合部材と、
を有することを特徴とするカーテンウォール。
【請求項２】
前記横柱における前記横板収容溝は、内側から外側に向かって斜めに広がり、開口近傍の上側縁部及び下側縁部にそれぞれ掛合凸縁が対向するように凸設され、前記各掛合凸縁は左右方向に沿って延在すると共に前記横板収容溝と同じ長さを有し、内側面に前記横柱の前記掛合凸縁及び前記横板収容溝の内側面に掛合される２つの掛合フックが延出する横柱蓋を有することを特徴とする請求項１に記載のカーテンウォール。
【請求項３】
前記横柱における上面及び下面にそれぞれガラス収容溝が凹設され、前記ガラス収容溝は前記横柱の左端から右端に亘って形成され、前記横板収容溝側に開口を有すると共に、前記横板収容溝と同じ長さを有することを特徴とする請求項２に記載のカーテンウォール。
【請求項４】
前記各ガラス収容溝にクッションが設置されることを特徴とする請求項３に記載のカーテンウォール。
【請求項５】
前記縦柱における前記縦板収容溝は、内側から外側に向かって斜めに広がり、開口近傍の左側縁部及び右側縁部にそれぞれ前記縦板収容溝と同じ長さを有する掛合凸縁が対向するように凸設され、前記各掛合凸縁は上下方向に沿って延在すると共に、内側面に前記縦柱の前記掛合凸縁及び前記縦板収容溝の内側面に掛合される２つの掛合フックが延出する縦柱蓋を有することを特徴とする請求項１乃至４の何れか１項に記載のカーテンウォール。
【請求項６】
前記縦柱における左側面及び右側面にそれぞれ、ガラス収容溝が上端から下端に亘って凹設されることを特徴とする請求項５に記載のカーテンウォール。
【請求項７】
前記縦柱の前記一側面と反対する他側面に、さらに縦板収容溝及び縦ブロック収容溝が凹設され、前記縦板収容溝及び前記縦ブロック収容溝に前記結合部材を装着することにより、前記横柱が配置されることを特徴とする請求項１乃至４の何れか１項に記載のカーテンウォール。
【請求項８】
前記縦柱における前記縦板収容溝は、内側から外側に向かって斜めに広がり、開口近傍の左側縁部及び右側縁部にそれぞれ前記縦板収容溝と同じ長さを有する掛合凸縁が対向するように凸設され、前記各掛合凸縁は上下方向に沿って延在すると共に、内側面に前記縦柱の前記掛合凸縁及び前記縦板収容溝の内側面に掛合される２つの掛合フックが延出する縦柱蓋を有することを特徴とする請求項７に記載のカーテンウォール。
【請求項９】
前記縦柱における左側面及び右側面の外側面近傍及び内側面近傍に、それぞれガラス収容溝が上端から下端に亘って凹設されることを特徴とする請求項８に記載のカーテンウォール。
【請求項１０】
前記横部材の前記横板及び前記縦部材の前記縦板が十字形に接着されることを特徴とする請求項１に記載のカーテンウォール。
【請求項１１】
前記横部材の前記横板及び前記縦部材の前記縦板がＴ字形に接着されることを特徴とする請求項１に記載のカーテンウォール。
【請求項１２】
前記横部材の前記横板及び前記縦部材の前記縦板がＬ字形に接着されることを特徴とする請求項１に記載のカーテンウォール。
【発明の詳細な説明】
【技術分野】
【０００１】
本発明は、建築に用いてビルの壁として使用されるカーテンウォールに関するものである。
【背景技術】
【０００２】
図１０に示すように、従来のカーテンウォール９０は、２つの横柱９１がそれぞれ縦柱９２の両側に組み合わされるものである。また、図１１に示すように、他の従来のカーテンウォールＲは、複数の横柱Ｒ１及び複数の縦柱Ｒ２からなり、それら縦柱Ｒ２はそれぞれ、間隔をおいて配列されると共に、各２つの縦柱Ｒ２の間に横柱Ｒ１が設置され、左右の２つの縦柱Ｒ２と上下の２つの横柱Ｒ１との間に矩形の空間を形成してグリッド状の枠を構成し、その矩形の空間にそれぞれガラスを嵌め込んで隣接する横柱Ｒ１及び縦柱Ｒ２に接着させれば、カーテンウォールが完成する。
【０００３】
前記従来のカーテンウォールは、複数の横柱９１、Ｒ１がそれぞれ、両側の縦柱９２、Ｒ２との間に設置されることから、１本の横柱９１、Ｒ１が複数の縦柱９２、Ｒ２と連結して固定することができないことから、強度不足という問題があり、強風を受けると、横柱が受けた力が両側の縦柱にのみ伝わり、力を分散できないために破損する虞れがあった。さらに、従来のカーテンウォールの工法によれば、横柱１本１本が縦柱に組み付けられることから、組立作業に手間が懸かっていた。
【先行技術文献】
【特許文献】
【０００４】
【特許文献１】台湾実用新案第７１２６２４２号
【特許文献２】台湾実用新案第７２２６８５２号
【発明の概要】
【発明が解決しようとする課題】
【０００５】
上述したように、従来のカーテンウォールは、複数の縦柱が既定の間隔で配置されると共に、横柱が２つの縦柱の間に組み合わられることから、強度不足という問題があった。この問題を解決するために、縦柱の幅及び太さを増加させて強度を向上させてもよいが、そのような方法では、材料コストが増加すると共に、外観の見栄えが悪くなってしまうので、改良する必要があった。
【課題を解決するための手段】
【０００６】
本発明に係るカーテンウォールは、上下方向に設置され、その一側面に上端から下端に亘って凹設される縦板収容溝、及び該縦板収容溝の底面に上端から下端に亘って凹設される縦ブロック収容溝とを備える細長状の縦柱と、
左右方向に設置され、一側面に左端から右端に亘って凹設される横板収容溝、及び該横板収容溝の底面に左端から右端に亘って凹設される横ブロック収容溝とを備える細長状の横柱と、
縦板収容溝に位置する縦板、縦ブロック収容溝に位置する２つの縦ブロック、及び縦板と縦ブロックとを螺合する２つのボルトを備える縦部材と、横板収容溝に位置する横板、横ブロック収容溝に位置する横ブロック、及び横板と横ブロックとを螺合する２つのボルトを備える横部材とを備え、縦部材の縦板と横部材の横板とを交差状に接着して成り、縦柱及び横柱を固定するための結合部材と、
を有するものである。
【０００７】
前記横柱における横板収容溝は、内側から外側に向かって斜めに広がり、開口近傍の上側縁部及び下側縁部にそれぞれ、掛合凸縁が対向するように凸設され、該各掛合凸縁は左右方向に沿って延在すると共に横板収容溝と同じ長さを有し、内側面に横柱の掛合凸縁及び横板収容溝の内側面に掛合される２つの掛合フックが延出する横柱蓋を有することが好ましい。
【０００８】
前記横柱における上面及び下面にそれぞれガラス収容溝が凹設され、該ガラス収容溝は横柱の左端から右端に亘って形成され、横板収容溝側に開口を有すると共に、横板収容溝と同じ長さを有することが好ましい。
【０００９】
前記各ガラス収容溝にクッションが設置されても構わない。
【００１０】
前記縦柱における縦板収容溝は、内側から外側に向かって斜めに広がり、開口近傍の左側縁部及び右側縁部にそれぞれ、縦板収容溝と同じ長さを有する掛合凸縁が対向するように凸設され、各掛合凸縁は上下方向に沿って延在すると共に、内側面に縦柱の掛合凸縁及び縦板収容溝の内側面に掛合される２つの掛合フックが延出する縦柱蓋を有することが好ましい。
【００１１】
前記縦柱における左側面及び右側面にそれぞれ、ガラス収容溝が上端から下端に亘って凹設されてもよい。
【００１２】
前記縦柱の前記一側面と反対する他側面にさらに、縦板収容溝及び縦ブロック収容溝が凹設され、これら縦板収容溝及び縦ブロック収容溝に結合部材を装着することにより、横柱が配置されることが好ましい。
【００１３】
前記縦柱における左側面及び右側面の外側面近傍及び内側面近傍に、それぞれガラス収容溝が上端から下端に亘って凹設されてもよい。
【００１４】
前記横部材の横板及び縦部材の縦板が十字形に接着されてもよい。
【００１５】
前記横部材の横板及び縦部材の縦板がＴ字形に接着されてもよい。
【００１６】
前記横部材の横板及び縦部材の縦板がＬ字形に接着されてもよい。
【発明の効果】
【００１７】
本発明に係るカーテンウォールは、上記の構造を有することから、以下に示すような効果を有する。  
１．強度の向上：１本の横柱が同時に複数の縦柱に装着されると共に、上下方向に隣り合う複数の横柱がそれぞれ交互に配列されることから、カーテンウォールが強風を受けた時、力が複数の縦柱に伝わり分散されるので、カーテンウォールの強度を向上することができる。  
２．組み立てが容易：結合部材における、縦ブロックを縦ブロック収容溝に、縦板を縦板収容溝に、横ブロックを横ブロック収容溝に、横板を横板収容溝に位置させると共に、それぞれ対応するボルトを締め込めば、縦柱と横柱と結合することができる。  
３．組み立て方が多様：様々な組み立て方を有するので、縦柱及び横柱を地形や工法に合わせて使用することができる。  
４．異なる蓋が使用可能：縦柱及び横柱にそれぞれ掛合凸縁が設けられることから、異なる蓋であっても、蓋に掛合タブを設ければ、縦柱及横柱に掛合することができる。  
５．製造が容易：縦柱及び横柱が同一の形状を呈していても構わないので、製造上非常に便利である。
【図面の簡単な説明】
【００１８】
【図１】本発明に係るカーテンウォールにおける第一実施例の部分拡大分解斜視図。
【図２】本発明に係るカーテンウォールにおける第一実施例の部分断面平面図。
【図３】本発明に係るカーテンウォールにおける第一実施例における複数の枠部材を組み立てた状態を示す斜視図。
【図４】本発明に係るカーテンウォールにおける第一実施例の縦板及び横板をＴ字形に接着した状態を示す斜視図。
【図５】本発明に係るカーテンウォールにおける第一実施例の縦板及び横板をＬ字形に接着した状態を示す斜視図。
【図６】本発明に係るカーテンウォールにおける第二実施例の部分断面斜視図。
【図７】本発明に係るカーテンウォールにおける第三実施例の部分断面斜視図。
【図８】本発明に係るカーテンウォールにおける第四実施例の部分断面斜視図。
【図９】本発明に係るカーテンウォールにおける第五実施例の部分断面斜視図。
【図１０】従来のカーテンウォールの部分断面斜視図。
【図１１】他の従来のカーテンウォールの斜視図。
【発明を実施するための形態】
【００１９】
以下、添付図面を参照して本発明の適切な実施の形態を詳細に説明する。
【００２０】
図１及び図２に示すように、本発明に係るカーテンウォールの第一実施例は、複数の枠部材を組み合わせて構成され、該各枠部材は、縦柱１０と、横柱２０と、結合部材３０とを有し、その内、前記縦柱１０は上下方向に設置される細長状の中空柱体であり、一側面に上端から下端に亘って凹設される縦板収容溝１１と、該縦板収容溝１１の底面に上端から下端に亘って凹設される縦ブロック収容溝１２とを備え、その縦ブロック収容溝１２は、縦板収容溝１１と同一の長さを有し、その断面が略矩形を呈するものである。
【００２１】
前記縦柱１０における縦板収容溝１１は、内側から外側に向かって斜めに広がり、開口近傍の左側縁部及び右側縁部にそれぞれ、縦板収容溝１１と同じ長さを有する掛合凸縁１１１が対向するように凸設され、該各掛合凸縁１１１は上下方向に沿って延在している。
【００２２】
前記横柱２０は、左右方向に設置される細長状の中空柱体であり、側面に左端から右端に亘って凹設される横板収容溝２１と、該横板収容溝２１の底面に左端から右端に亘って凹設される横ブロック収容溝２２とを備え、その横ブロック収容溝２２は、横板収容溝２１と同じ長さを有し、断面が略矩形を呈するものである。また、その横板収容溝２１は、前記縦板収容溝１１と同じ形状を呈し、内側から外側に向かって斜めに広がり、開口近傍の上側縁部及び下側縁部にそれぞれ、横板収容溝２１と同じ長さを有する掛合凸縁２１１が対向するように凸設され、該各掛合凸縁２１１は左右方向に沿って延在している。
【００２３】
前記結合部材３０は、縦柱１０及び横柱２０を結合して固定するものであり、縦部材３１及び横部材３２を備え、その内、前記縦部材３１は前記縦板収容溝１１に位置する縦板３１１と、前記縦ブロック収容溝１２に位置する２つの縦ブロック３１２と、該縦板３１１と縦ブロック３１２とを螺合する２つのボルト３１３とを有し、前記横部材３２は前記横板収容溝２１に位置する横板３２１と、前記横ブロック収容溝２２に位置する横ブロック３２２と、該横板３２１と横ブロック３２２とを螺合する２つのボルト３２３とを有する。尚、前記横部材３２の横板３２１及び縦部材３１の縦板３１１が交差状に接着されて十字形またはＴ字形に形成され、前記横板３２１の中段部分が縦板３１１の中段部分や、上段部分、下段部分などに溶接手段により接着されてもよい。
【００２４】
前記縦部材３１の縦板３１１の厚さが縦板収容溝１１の深さより小さいと共に、前記横部材３２の横板３２１の厚さが横板収容溝２１の深さより小さいことから、縦板３１１を縦板収容溝１１に、横板３２１を横板収容溝２１に収容して、縦柱１０と横柱２０とを当接させることができる。
【００２５】
図３は、本発明に係る第一実施例における複数の枠部材を組み立てた状態を示す斜視図であり、主に上下方向における横柱２０を交互に配列した状態を示したものである。
【００２６】
図１乃至図３に示すように、本発明に係るカーテンウォールは、複数の枠部材及び複数のガラスを組み合わせてカーテンウォールＷを構成するものであり、それらを組み合わせる時は、先ず、縦板収容溝１１に縦板３１１を、縦ブロック収容溝１２に縦ブロック３１２を位置させてボルト３１３を締め込んで、縦部材３１を縦柱１０に固定することによって、複数の結合部材３０を、間隔をおいて縦柱１０に設置する。尚、その内、最上部及び最下部の縦板３１１及び横板３２１は、Ｔ字形（図４の如く）のように接着し、中間区域の縦板３１１及び横板３２１は、十字形のように接着し、最上部の左側及び右側と最下部の左側及び右側の縦板３１１及び横板３２１は、Ｌ字形（図５の如く）のように接着する。この構成によれば、横柱２０を結合部材３０に結合する時に、縦柱１０が最上部及び最下部の横部材３２から突出することはなく、縦柱１０が最上部の左側及び右側と最下部の左側及び右側の横部材３２から突出することはなく、また、横柱２０が最上部の左側及び右側と最下部の左側及び右側の縦部材３１から突出することはない。
【００２７】
その後、複数の縦柱１０は、各縦柱１０上の結合部材３０をそれぞれ左右方向に直線的に間隔をおいて配列し、各横柱２０を一本一本それらと対応する結合部材３０に設置する。また、その横柱２０の設置方法は、横板収容溝２１が結合部材３０の横板３２１と対応し、横ブロック収容溝２２が結合部材３０の横ブロック３２２と対応するように、横柱２０を左右方向にスライドさせて結合部材３０に覆設し、適当な位置に調整すると、ボルト３２３を締め込んで横柱２０を結合部材３０に固定する。尚、この構成によれば、上下方向に隣り合う複数の横柱２０がそれぞれ交互に配列されるので（図３の如く）、カーテンウォールＷの強度を向上させることができる。
【００２８】
最後に、ガラス（図示せず）をシリコンなどの粘着剤により、左右及び上下の隣り合う２つの縦柱１０及び２つの横柱２０に接着すれば、カーテンウォールＷが完成する。
【００２９】
図６に示すように、本発明に係る第二実施例は、その構成の殆どが第一実施例と同一であるが、その横柱２０Ａにおける上面及び下面にそれぞれガラス収容溝２４Ａが凹設され、該ガラス収容溝２４Ａが、横柱２０Ａの左右方向に形成され、横板収容溝２１Ａ側に開口を有すると共に、横板収容溝２１Ａと同じ長さを有する点において異なる。この構造によれば、ガラスＧを装着する時、ガラスＧの上部及び下部をそれぞれガラス収容溝２４Ａに位置させて、ガラスＧを横柱２０Ａ及び横柱蓋５０Ａ（後で説明する）に位置決めることができる。
【００３０】
さらに、前記各ガラス収容溝２４Ａに矩形のクッションＰが設置され、該クッションＰの上部がガラスＧの底部に当接されると共に、下部がガラス収容溝２４Ａの底部に当接され、この構成により、ガラスＧを強固に保持することができる。尚、本実施例においては、ガラスＧを固定する時は、ガラスＧを縦柱１０Ａ及び横柱２０Ａに接着するために、ガラスＧと縦柱１０Ａ及び横柱２０Ａとの隣接縁部に、シリコンなどの粘着剤を用いて粘着シールＳを形成させる。
【００３１】
図６においては、左側をカーテンウォールＷの外側Ｏと定義すると共に、右側をカーテンウォールＷの内側Ｉと定義し、これに基づき説明すると、本発明に係る縦柱１０Ａが外側Ｏから露出すると共に、横柱２０Ａにおける外側Ｏに面する部分に横柱蓋５０Ａが設置されてカバーされる。
【００３２】
次に、横柱２０Ａと横柱蓋５０Ａとの組み合わせについて説明する。本実施例によれば、前記横柱蓋５０Ａにおける内側面に２つの掛合フック５１Ａが延設され、該掛合フック５１Ａが横柱２０Ａの掛合凸縁２２１Ａ及び横板収容溝２１Ａの内側面に掛合されることから、横柱２０Ａにおける外側Ｏに面する部分が横柱蓋５０Ａでカバーされるので、内側Iから見た時に横柱２０Ａしか見えず縦柱１０Ａは見えない。
【００３３】
図７に示すように、本発明に係る第三実施例は、その構成の殆どが第二実施例と同一であるが、各縦柱１０Ｂにおける左側面及び右側面にそれぞれガラス収容溝１３Ｂが凹設され、該ガラス収容溝１３Ｂが立柱１０Ｂの上下両端を貫通し、ガラスＧがガラス収容溝１３Ｂに収容されるという点において異なる。
【００３４】
図７においては、左側をカーテンウォールＷの外側Ｏと定義すると共に、上側をカーテンウォールＷの内側Iと定義し、これに基づき説明すると、第三実施例においては、縦柱１０Ｂにおける外側Ｏに面する部分が縦柱蓋６０Ｂでカバーされると共に、横柱２０Ｂにおける内側Ｉに面する部分が横柱蓋５０Ｂでカバーされ、その内、横柱蓋５０Ｂと横柱２０Ｂとの組み合わせは、その構成の殆どが第二実施例における横柱蓋５０Ａと横柱２０Ａとの係合構造と同一であるが、前記各横柱蓋５０Ｂの上部に支持タブ５３Ｂが設置されて横方向に突出する点において異なり、この構成によれば、上下方向に隣り合う２つの支持タブ５３Ｂとの間にガラスＧが接着されることとなる。一方、縦柱１０Ｂと縦柱蓋６０Ｂとの係合構造については、第二実施例の横柱２０Ａ及び横柱蓋５０Ａと同一であるので、その説明を省略する。上述したように、本発明に係る第三実施例においては、各横柱２０Ｂが外側Ｏに面するように配置されるので、内側Iから見た時に縦柱１０Ｂは見えるものの横柱２０Ｂは見えない。
【００３５】
図８に示すように、本発明に係る第四実施例は、その構造の殆どが第一実施例と同一であり、縦柱１０Ｅ及び横柱２０Ｅの構造にやや異なりを有するが、縦柱１０Ｅと横柱２０Ｅとを結合するための結合部材３０Ｅは同一である。
【００３６】
図８においては、左側を内側Ｉと定義すると共に、右側を外側Ｏと定義する。また、その構成においては、前記横柱２０Ｅにおける外側Ｏに面する部分は横柱蓋５０Ｅでカバーされる。尚、その横柱蓋５０Ｅの設置方式は第二実施例と同一であるが、各横柱蓋５０Ｅにおける横柱２０Ｅと反対する側に、さらに支持タブ５３Ｅが凸設される点において異なる。この構成によれば、上下方向に隣り合う２つの支持タブ５３Ｅの間にガラスＧが接着される。故に、本発明に係る第四実施例においては、外側Ｏから見た時にガラスＧは見えるものの縦柱１０Ｅ及び横柱２０Ｅは見えない。
【００３７】
図９に示すように、本発明に係る第五実施例は、その構造の殆どが第三実施例と同一であるが、縦柱１０Ｆの構造が異なる。また、図９においては、左側を外側Ｏと定義すると共に、右側を内側Ｉと定義し、これに基づき説明すると、縦柱１０Ｆにおける外側面及び内側面にそれぞれ縦板収容溝１１Ｆ及び縦ブロック収容溝１２Ｆが凹設されると共に、左側面及び右側面における外側面近傍及び内側面近傍にそれぞれガラス収容溝１３Ｆが凹設されることから、縦柱１０Ｆの外側面及び内側面にそれぞれ、結合部材３０Ｆ（図示せず）が結合されて横柱２０Ｆが配置されると共に、各ガラス収容溝１３ＦにガラスＧが設置される。尚、前記縦柱１０Ｆにおける外側Ｏに面する部分、及び内側Ｉに面する部分は、縦柱蓋６０Ｆでカバーしても構わない。
【００３８】
また、第五実施例においては、前記横柱２０Ｆの縦柱１０Ｆ側に横柱蓋５０Ｆが設置され、該横柱蓋５０Ｆの支持タブ５３ＦにガラスＧが接着されることによって、上下方向に隣り合う２つの横柱２０Ｆの間にガラスＧが強固に保持される。一方、第五実施例における横柱２０Ｆの縦柱１０Ｆと反対する側に装飾蓋Ｍが設置され、上下方向に隣り合う２つの装飾蓋Ｍの間に装飾ボードＫがシリコンなどの粘着剤で接着される。
【００３９】
尚、第五実施例における横柱２０Ｆの縦柱１０Ｆと反対する側に結合ユニット（図示せず）を設置し、その結合ユニットによって上下方向に隣り合う２つの横柱２０Ｆの間に装飾ボードＫを設置してもよく、横柱２０Ｆを床Ｙに固定してもよい。また、その結合ユニットはＬ字形のプレート及び複数のボルトから成ってもよく、横柱２０Ｆと装飾ボードＫまたは床Ｙとを固定できれば如何なる結合手段であっても構わない。
【産業上の利用可能性】
【００４０】
本発明に係るカーテンウォールは、上記の構造を有することから、１本の横柱が同時に複数の縦柱に結合されると共に、上下方向に隣り合う複数の横柱がそれぞれ交互に配列されるので、強度を向上させることができる。
【符号の説明】
【００４１】
１０、１０Ａ、１０Ｂ、１０Ｅ、１０Ｆ…縦柱、
１１、１１Ｆ…縦板収容溝、
１１１…掛合凸縁、
１２、１２Ｆ…縦ブロック収容溝、
１３Ｂ、１３Ｆ…ガラス収容溝、
２０、２０Ａ、２０Ｂ、２０Ｅ、２０Ｆ…横柱、
２１、２１Ａ…横板収容溝、
２１１、２２１Ａ…掛合凸縁、
２２…横ブロック収容溝、
２４Ａ…ガラス収容溝、
３０、３０Ｅ、３０Ｆ…結合部材、
３１…縦部材、
３１１…縦板、
３１２…縦ブロック、
３１３…ボルト、
３２…横部材、
３２１…横板、
３２２…横ブロック、
３２３…ボルト、
５０Ａ、５０Ｂ、５０Ｅ、５０Ｆ…横柱蓋、
５１Ａ…掛合フック、
５３Ｂ、５３Ｅ、５３Ｆ…支持タブ、
６０Ｂ、６０Ｆ…縦柱蓋、
９０…カーテンウォール、
９１…横柱、
９２…縦柱、
Ｒ…カーテンウォール、
Ｒ１…横柱、
Ｒ２…縦柱、
Ｇ…ガラス、
Ｉ…内側、
Ｏ…外側、
Ｐ…クッション、
Ｓ…粘着シール、
Ｗ…カーテンウォール、
Ｍ…装飾蓋、
Ｋ…装飾ボード、
Ｙ…床。
【図１】
0005515186.tif 000002
【図２】
0005515186.tif 000003
【図３】
0005515186.tif 000004
【図４】
0005515186.tif 000005
【図５】
0005515186.tif 000006
【図６】
0005515186.tif 000007
【図７】
0005515186.tif 000008
【図８】
0005515186.tif 000009
【図９】
0005515186.tif 000010
【図１０】
0005515186.tif 000011
【図１１】
0005515186.tif 000012